(57)【要約】【課題】  光熱費の削減及び地球温暖化の原因となっている大気への熱負荷を軽減する太陽電池及びクロスフローファン付き熱交換器を提供する。【解決手段】  複数枚並設されているアルミニウムフィン２に蛇行状に貫通している銅製の伝熱管３と伝熱管３の内部に水を送水するための水入口４及び水出口５とで構成されている熱交換器１の上下左右に枠を設け、上の枠の天井面に太陽電池１１を設け、太陽電池１１の発電電力で運転するクロスフローファン１２を上の枠正面に設け、クロスフローファン１３を下の枠の正面に設けた太陽電池及びクロスフローファン付き熱交換器を、空気調和機の室外機の吹き出し口１９前面に傾斜させて設けると共に、熱交換器１の左右の側面及び天井面を強化ガラス２２で囲んだことを特徴とする太陽電池及びクロスフローファン付き熱交換器。【選択図】図８
2009300066.tif 000002
【特許請求の範囲】
【請求項１】
複数枚並設されているアルミニウムフィンに蛇行状に貫通している銅製の伝熱管と該伝熱管の内部に水を送水するための水入口及び水出口とで構成されている熱交換器の上下左右に枠を設け、上の枠の天井面に太陽電池を設け、該太陽電池の発電電力で運転するクロスフローファンを上下の枠の正面上に設けたことを特徴とする太陽電池及びクロスフローファン付き熱交換器。
【請求項２】
上記太陽電池の温度上昇を抑えると共に、該太陽電池の受光面の積雪を溶かすために、該太陽電池の裏面に、水又は風呂の湯を蓄えるタンクを接触させて配設し、該タンクに水又は風呂の湯を送水する為の水入口及び水出口を設けたことを特徴とする請求項１記載の太陽電池及びクロスフローファン付き熱交換器。
【請求項３】
空気調和機の室外機をベース上に設け、該室外機の吹き出し口から放出される熱風を上記熱交換器で捕らえる為に、該室外機の吹き出し口側に上記太陽電池及びクロスフローファン付き熱交換器を傾斜させて該ベース上に設けると共に、該室外機の吹き出し口前面に傾斜して設けている該熱交換器の左右の側面及び天井面を強化ガラスで囲んだことを特徴とする請求項１又は請求項２記載の太陽電池及びクロスフローファン付き熱交換器。
【請求項４】
上記クロスフローファンは、上記空気調和機の遠隔リモコン操作により、常用交流電源あるいは、上記太陽電池の発電電力のいずれかで運転することを選択できることを特徴とする請求項３の太陽電池及びクロスフローファン付き熱交換器。
【発明の詳細な説明】
【技術分野】
【０００１】  本発明は、光熱費の削減及び地球温暖化の原因となっている大気への熱負荷を軽減することを図った、太陽電池及びクロスフローファン付き熱交換器に関するものである。
【背景技術】
【０００２】  従来の熱交換器は、空気調和機の冷房運転において、室外機の熱交換器により加熱された外気は、吹き出し口から熱風となり放出されて大気への熱負荷となっていた。また、暖かい外気及び太陽の熱放射を有効利用していない。
【発明の開示】
【発明が解決しようとする課題】
【０００３】  そのために次のような課題があった。
（イ）空気調和機の室外機の冷房運転において、吹き出し口から放出される熱風を冷却すると共に、熱風を有効利用する。
（ロ）太陽の熱放射及び暖かい外気を有効利用する。
（ハ）太陽電池の温度上昇による発電電力の効率低下を抑える。
（二）太陽電池の受光面の積雪を溶かす。
本発明は、これらの課題を解決するためになされたものである。
【課題を解決するための手段】
【０００４】  上記（イ）の課題解決手段は、請求項１に記載された複数枚並設されているアルミニウムフィンに蛇行状に貫通している銅製の伝熱管と該伝熱管の内部に水道水を送水するための水入口及び水出口とで構成されている熱交換器を、請求項３に記載された空気調和機の室外機の吹き出し口の前面に傾斜させてベースの上に設ける。【０００５】  上記（ロ）の課題解決手段は、請求項３に記載された熱交換器の左右の側面及び天井面を強化ガラスで囲み太陽の熱放射を該熱交換器に集熱すると共に、請求項１に記載された該熱交換器の上下の枠の正面にクロスフローファンを設ける。該クロスフローファンは、請求項４に記載された常用交流電源あるいは、上記太陽電池の発電電力で運転することを空気調和機の遠隔リモコン操作により簡単に選択できる。【０００６】  上記（ハ）の課題解決手段は、請求項２に記載された上記太陽電池の温度上昇による効率低下を水道水の冷却により抑える為に、水道水を蓄えるタンクを該太陽電池の裏面に蜜着させて設ける。【０００７】  上記（二）の課題解決手段は、請求項２に記載された上記太陽電池の受光面の積雪を風呂の残り湯の加熱により溶かす為に、風呂の残り湯を蓄える上記タンクを該太陽電池の裏面に蜜着させて設ける。
【発明の効果】
【０００８】  請求項１によれば、複数枚並設されているアルミニウムフィンに蛇行状に貫通している銅製の伝熱管と該伝熱管の内部に水道水を送水するための水入口及び水出口とで構成されている熱交換器を、請求項３において空気調和機の室外機の吹き出し口の前面に傾斜させてベースの上に設けることにより、冷房運転において、吹き出し口から放出される熱風は、水道水により冷却された熱交換器の伝熱管及びフィンに接触により、冷却されてから大気中へ放出するので、大気への熱負荷は軽減する。
逆に、吹き出し口の前面に傾斜して設けられている、熱交換器の伝熱管の内部の水道水は、熱風により温まる。温まった水道水は、浴槽へ使用するので、風呂の追い焚きの光熱費の削減及び大気への熱負荷の軽減になる。
また、熱交換器の左右の側面及び天井面を強化ガラスで囲んで、太陽の熱放射を熱交換器に集熱すると共に、太陽電池の発電電力あるいは常用交流電源によりクロスフローファンを運転して、暖かい外気を熱交換器に吹きつけて、熱交換器の伝熱管の内部の水道水の水温を上昇させてから浴槽へ使用するので、風呂の追い焚きの光熱費の削減になる。【０００９】  請求項２によれば、太陽電池の温度上昇による発電電力の効率低下を水道水の冷却により抑えると共に、太陽電池の受光面の積雪を風呂の残り湯の加熱により溶かす為に、太陽電池の裏面に水あるいは風呂の残り湯を蓄えるタンクを蜜着させて配設して、太陽電池の性能を向上させる。
また、太陽電池冷却後の温まった水道水を浴槽へ使用により、風呂の追い焚きの光熱費の削減になる。【００１０】  請求項４によれば、クロスフローファンは、空気調和機の遠隔リモコン操作により、手軽に太陽電池の発電電力で運転することを選択でき、電気代の節約になる。
【発明を実施するための最良の形態】
【００１１】
【００１２】  以下、本発明の実施するための形態を図１〜図１２に基づいて説明する。【００１３】  図１において、熱交換器１は、複数枚並設されているアルミニウムフィン２に蛇行状に貫通している銅製の伝熱管３と伝熱管３の内部に水を送水するための水入口４及び水出口５とで構成されている。【００１４】  図２において、図１の熱交換器１の上下左右に枠を設け、左の枠６及び右の枠７は、上の枠８及び下の枠９を支えている。上の枠８の天井面に、太陽電池１０を設けている。【００１５】  図３において、熱交換器１の上部にクロスフローファン１２を設け、下部にクロスフローファン１３を設け、クロスフローファン１２の上に太陽電池１０を設けている。【００１６】  図４において、本発明の太陽電池及びクロスフローファン付き熱交換器は、熱交換器１の上の枠８の正面にクロスフローファン１２を設け、下に枠９の正面にクロスフローファン１３を設け、上の枠８の天井面に太陽電池１０を設け、太陽電池１０の裏面にタンク１１を蜜着して設けている。【００１７】  図５において、熱交換器１の上の枠８の正面上にクロスフローファン１２を設け、下の枠９の正面上にクロスフローファン１３を設け、暖かい外気をクロスフローファン１２及び１３により、熱交換器１に矢印の方向に吹き付けて、伝熱管３の内部を流動する水道水を温める。【００１８】  図６において、空気調和機は従来と同様に室外機１４，室内機１５，冷媒配管１６，信号線１７にて構成されている。【００１９】  図７において、図６の室外機１４をベース１８の上に設け、空気調和機の冷房運転の際、室外機１４のプロペラファン２０の運転により、外気は矢印の方向へ進む。
外気は、室外機１４内に吸い込まれ室外機熱交換器２１を通過することにより加熱され、熱風となって吹き出し口１９から放出される。
熱風が太陽電池１０の裏面のタンク１１に当たらないように、本発明の太陽電池及びクロスフローファン付き熱交換器を室外機１４の吹き出し口１９側に傾斜させて、ベース１８の上に設けると共に、図８において熱交換器１の左右の側面及び天井面を強化ガラス２２で囲み、図７において室外機１４の吹き出し口１９から放出する熱風を吹き出し口１９の前面に傾斜して設けられている熱交換器１で捕らえる。【００２０】  図９（Ａ）において、太陽電池１０の裏面にタンク１１を配置して、タンク１１に水又は風呂の残り湯を送水する為の水入口２３及び水出口２４構成され、図９（Ｂ）で示すように、太陽電池１０の裏面にタンク１１を蜜着させて設ける。【００２１】  本発明を使用する時は、図１０の水道給水バルブ２５を開くと、水道水は配管２６を通り、太陽電池１０の裏面のタンク１１の水入り口２３を通り、太陽電池１０を冷却後にタンク１１の水出口２４から、配管２７を通り、熱交換器１の水入り口４から伝熱管３を通り、伝熱管３及びアルミニウムフィン２を冷却する。室外機１４の吹き出し口１９から放出される熱風は、冷却した伝熱管３及びアルミニウムフィン２に接触することにより、冷却されてから大気へ放出されるので、大気への熱負荷は軽減する。
逆に、吹き出し口１９の前面に傾斜して設けられている、熱交換器１の伝熱管３の内部の水道水は、太陽電池１０及び熱風の加熱により温まる。温まった水道水は、熱交換器１の水出口５から、配管２８を通り、浴槽２９へ給水する。温まった水道水を、浴槽２９へ給水することにより、風呂の追い焚きの光熱費の削減及び大気への熱負荷の軽減となる。【００２２】  また、空気調和機の室外機を使用しない時、外気温度が水道水温より高い場合、図１１で示すようにクロスフローファン１２及び１３を常用交流電源あるいは、太陽電池１０の発電電力の運転により、熱交換器１に暖かい外気を矢印の方向に吹きつけ、図１０で示すように、伝熱管３の内部の水道水を温める。水温が上昇した水道水を熱交換機１の水出口５より、配管２８を通り、浴槽２９へ給水することにより、風呂の追い焚きの光熱費の削減及び大気への熱負荷の軽減となる。【００２３】  図１２において、太陽電池１０の受光面の積雪を溶かす為に浴槽２９内に、揚水ポンプ３０を設け、揚水ポンプ３０によって、浴槽２９の残り湯を汲み上げる。残り湯は配管２６を通り、太陽電池１０の裏面のタンク１１の水入り口２３へ送水により、太陽電池１０を加熱して、太陽電池１０の受光面の積雪を溶かし太陽電池１０の裏面のタンク１１の水出口２４から熱交換器１を通り、浴槽２９へもどる。残り湯は、浴槽２９と太陽電池１１の裏面のタンク１１及び熱交換器１を循環する。
【図面の簡単な説明】
【００２４】
【図１】熱交換器図
【図２】熱交換器に枠及び太陽電池取り付け正面図
【図３】本発明の太陽電池及びクロスフローファン付き熱交換器の正面図
【図４】本発明の太陽電池及びクロスフローファン付き熱交換器の斜視図
【図５】本発明の太陽電池及びクロスフローファン付き熱交換器の左側面図
【図６】従来の室内外分離型の空気調和機の構成図
【図７】本発明を室外機の吹き出し口前面に傾斜して設けた熱交換器の左側面図
【図８】本発明を室外機の吹き出し口前面に傾斜して設置した熱交換器の斜視図
【図９】太陽電池裏面にタンク備えた斜視図（Ａ）断面図（Ｂ）
【図１０】室外機において水道水を温めて浴槽へ送水する使用状態を示す斜視図
【図１１】熱交換器へ外気を吹き付けるクロスフローファンの運転図
【図１２】太陽電池の受光面の積雪を溶かす風呂の残り湯の利用を示す斜視図
【符号の説明】
【００２５】  １    熱交換器
２    アルミニウムフィン
３    伝熱管
４    水入り口
５    水出口
６    左の枠
７    右の枠
８    上の枠
９    下の枠
１０    太陽電池
１１    タンク
１２    クロスフローファン
１３    クロスフローファン
１４    室外機
１５    室内機
１６    冷媒配管
１７    信号線
１８    ベース
１９    吹き出し口
２０    プロペラファン
２１    室外機熱交換器
２２    強化ガラス
２３    水入り口
２４    水出口
２５    水道給水バルブ
２６    配管
２７    配管
２８    配管
２９    浴槽
３０    揚水ポンプ
【図１】
2009300066.tif 000003
【図２】
2009300066.tif 000004
【図３】
2009300066.tif 000005
【図４】
2009300066.tif 000006
【図５】
2009300066.tif 000007
【図６】
2009300066.tif 000008
【図７】
2009300066.tif 000009
【図８】
2009300066.tif 000010
【図９】
2009300066.tif 000011
【図１０】
2009300066.tif 000012
【図１１】
2009300066.tif 000013
【図１２】
2009300066.tif 000014